(57)【要約】【課題】自然のエネルギーを利用してもぐら自身に刺激を与え、逆にもぐらの学習能力を利用できるもぐら撃退器を提供する。【解決手段】太陽電池１１と、太陽電池１１で光エネルギーを電気エネルギーに変換した電気を充電するバッテリー１４を有し、バッテリー１４と電気的に連結された回路部１５によって決定された発振周波数の信号を発振する出力端子として第１の電極銅棒１９と、出力端子から発振された信号を受信する受信端子として第２の電極銅棒２１を具備するもぐら撃退器１０であって、第１の電極銅棒１９と、第２の電極銅棒２１がそれぞれの間に距離をおいて土中に埋設させて設けられ、第１電極銅棒１９と第２の電極銅棒２１間に高周波の連続パルス波が発振される。【選択図】図１
0003104397.tif 000002
【実用新案登録請求の範囲】
【請求項１】
太陽電池と、該太陽電池で光エネルギーを電気エネルギーに変換した電気を充電するバッテリーを有し、該バッテリーと電気的に連結された回路部によって決定された発振周波数の信号を発振する出力端子として第１の電極銅棒と、該出力端子から発振された信号を受信する受信端子として第２の電極銅棒を具備するもぐら撃退器であって、
前記第１の電極銅棒と、前記第２の電極銅棒がそれぞれの間に距離をおいて土中に埋設させて設けられ、前記第１電極銅棒と前記第２の電極銅棒間に高周波の連続パルス波が発振されることを特徴とするもぐら撃退器。
【請求項２】
請求項１記載のもぐら撃退器において、前記高周波の周波数範囲が２０ｋＨｚ以上であることを特徴とするもぐら撃退器。
【考案の詳細な説明】
【技術分野】
【０００１】
本考案は、地中に生息し、農作物等に被害をおよぼすもぐらを撃退させるためのもぐら撃退器に関する。
【背景技術】
【０００２】
従来から農作物に対する小動物からの被害は、地表における害虫や鳥等によるものや、地中におけるもぐら等によるものがあげられ、生産者の悩みの種となっている。特に、もぐらによる被害は、もぐらが作物の多くの収穫が見込まれる肥えた畑等に好んで生息し、しかも、もぐらが夜行性で且つ用心深い動物であるので、その撃退には、苦労が多く、さまざまな撃退装置、例えば、もぐらが音に対して敏感であることの性質を利用したバッテリーを用いた音声や音波を発する装置や、ペットボトル等の廃材物を利用して風車様式に加工して風を利用して回転させることで響鳴音を発生させる装置等が提案されている。
【０００３】
これら従来の装置の中には、太陽電池の出力をバッテリーに蓄電し、バッテリーと音波を発振する発振部との間に、音波の発振間隔と発振時間及び発振周波数とを制御する回路部を介在させたもぐら撃退器が提案されている（例えば、特許文献１参照）。また、太陽電池の出力をバッテリーに蓄電し、バッテリーからの電気で照明灯機能を発揮させると共に、バッテリーからの電気でブザーに１０００Ｈｚ以下の音波を発振させてもぐらを撃退させる照明機能を具えたもぐら駆逐器が提案されている（例えば、特許文献２参照）。
【特許文献１】実開平６−６４４７７号公報
【特許文献２】実用新案登録第３０８９５８６号公報
【考案の開示】
【考案が解決しようとする課題】
【０００４】
しかしながら、前述したような従来のもぐら撃退器は、未だ解決すべき次のような問題がある。
（１）音声や、音波によるもぐら撃退法は、元来もぐらに具わっている高い学習能力によって、同じ音色で繰り返し発生する音声や、音波ではその発生音の種類を聞き分けることができるようになり、発生源の音に対して次第に危険性を感じなくなり、徐々に効果を発揮できなくなる。
（２）風を利用した響鳴音によるもぐら撃退法は、響鳴音発生の動力源が自然の力によるもであり、無風の時には効果がなくなり、またもぐらの学習能力によって、音色が聞き分けられるようになり、次第に効果が少なくなる。
本考案は、かかる事情に鑑みてなされたものであって、自然のエネルギーを利用してもぐら自身に刺激を与え、逆にもぐらの学習能力を利用できるもぐら撃退器を提供することを目的とする。
【課題を解決するための手段】
【０００５】
前記目的に沿う本考案に係るもぐら撃退器は、太陽電池と、太陽電池で光エネルギーを電気エネルギーに変換した電気を充電するバッテリーを有し、バッテリーと電気的に連結された回路部によって決定された発振周波数の信号を発振する出力端子として第１の電極銅棒と、出力端子から発振された信号を受信する受信端子として第２の電極銅棒を具備するもぐら撃退器であって、第１の電極銅棒と、第２の電極銅棒がそれぞれの間に距離をおいて土中に埋設させて設けられ、第１電極銅棒と第２の電極銅棒間に高周波の連続パルス波が発振される。
【０００６】
ここで、もぐら撃退器は、高周波の周波数範囲が２０ｋＨｚ以上であるのがよい。
【考案の効果】
【０００７】
請求項１及びこれに従属する請求項２記載のもぐら撃退器は、太陽電池と、太陽電池からの電気を充電するバッテリーを有し、バッテリーと電気的に連結された回路部によって決定された発振周波数の信号を発振する出力端子として第１の電極銅棒と、出力端子から発振された信号を受信する受信端子として第２の電極銅棒を具備するもぐら撃退器であって、第１の電極銅棒と、第２の電極銅棒がそれぞれの間に距離をおいて土中に埋設させて設けられ、第１電極銅棒と第２の電極銅棒間に高周波の連続パルス波が発振されるので、第１と第２の電極銅棒間の地中を通過するもぐらには、動物に感知できる高周波の電気信号を感知して生体に刺激を発生させることで撃退させることができる。また、高周波は、音波領域を越える周波数を有するので、もぐらに音で聞き分ける学習能力を発揮させることを妨げることができる。更に、第１、第２の電極銅棒の埋設位置を適当に変更して高周波の電気信号が何処で発生するのか分からなくして、もぐらの学習能力を逆に利用した恐怖心をうえつけることで撃退させることができる。
【０００８】
特に、請求項２記載のもぐら撃退器は、高周波の周波数範囲が２０ｋＨｚ以上であるので、人間の可聴周波数である２０Ｈｚ〜２０ｋＨｚ未満を超えることで人間には不快感を与えることなく効果的にもぐらを撃退させることができる。
【考案を実施するための最良の形態】
【０００９】
続いて、添付した図面を参照しつつ、本考案を具体化した実施するための最良の形態について説明し、本考案の理解に供する。
ここに、図１は本考案の一実施の形態に係るもぐら撃退器の説明図、図２は同もぐら撃退器の設置状態を示す説明図である。
【００１０】
図１に示すように、本考案の一実施の形態に係るもぐら撃退器１０は、パネル面を上空に向けて太陽から得られる光エネルギーを電気エネルギーに変換することができる１又は複数枚の板状からなる太陽電池１１を有している。この太陽電池１１は、上面に透明なガラス板１２で防水保護するようにして薄手のソーラーボックス１３内に収められている。また、もぐら撃退器１０は、ソーラーボックス１３の下に、ソーラーボックス１３を固定して支えると同時に、太陽電池１１で変換された電気を充電するためのバッテリー１４、及びこのバッテリー１４と電気的に連結して決められた発振周波数の信号を発信させるための回路部１５を防水を考慮した収納ボックス１６内に有している。
上部にソーラーボックス１３を固定させた収納ボックス１６は、支柱１７の一方の先端部で固定し、支柱１７の他方の先端部を地中に埋設させて固定される。もぐら撃退器１０は、収納ボックス１６内の回路部１５に設けられた、一般的に使用されている発振器、例えば、コンデンサと抵抗器により発振周波数が決定される発振回路を有する構造からなる発振器より発生する信号を、回路部１５から延設された第１のケーブル１８を介して出力端子から発振させるための第１の電極銅棒１９を有している。更に、もぐら撃退器１０は、第１の電極銅棒１９から発振された信号を、回路部１５から延設された第２のケーブル２０を介してグランドとして受信するための受信端子である第２の電極銅棒２１を有している。
なお、発振器から発生させる発振周波数は、可変抵抗器を用いることで、周波数の変更を行うこともできる。
【００１１】
図２に示すように、もぐら撃退器１０は、例えば、約１ｍ程度の長さを有する第１の電極銅棒１９と、第２の電極銅棒２１がそれぞれの間に、例えば、１５ｍ以上の距離をおいてそれぞれの上端部を少し残して土中に埋設させて設けられる。第１の電極銅棒１９の土中から外に露出した上端部に設けられた防水保護された端子には、支柱１７の一方の端部を場所を選ばず持ち運び自在に土中に差し込み、他方の端部で固定した収納ボックス１６内の回路部１５から延設された第１のケーブル１８の防水保護された端子が接続される。また、第２の電極銅棒２１の上端部の防水保護された端子にも、回路部１５から延設された第２のケーブル２０の防水保護された端子が接続される。
このもぐら撃退器１０は、収納ボックス１６内の回路部１５に設けられたスイッチを入れることで、電池交換や、電線配線を不用とする太陽電池１１で光エネルギーを電気エネルギーに変換しバッテリー１４に充電した電気が供給されて発振器が作動し、第１の電極銅棒１９と第２の電極銅棒２１間に高周波の連続パルス波を発振させている。
【００１２】
本考案のもぐら撃退器１０は、もぐらが地表近くの土中に出没するので、例えば、約１ｍ程度の長さを有する第１の電極銅棒１９と第２の電極銅棒２１間を通過するもぐらには、不快な刺激を感じさせる高周波の連続パルス波を浴びせることができる。また、第１の電極銅棒１９と、第２の電極銅棒２１は、細くて錆び難い銅でできており、地中から容易に引き抜くことができ、第１の電極銅棒１９と第２の電極銅棒２１間の位置を適当に変更することができるので、本考案のもぐら撃退器１０は、もぐらが慣れる前に不快な刺激が何処から発生するか分からなくさせて、もぐらに恐怖心を植え付けることができ、もぐらの学習能力を利用した撃退方法として用いることができる。
【００１３】
ここで、本考案のもぐら撃退器１０の高周波の周波数範囲は、２０ｋＨｚ以上であるのがよい。人間が音として聴く事ができる可聴周波数の範囲は、２０Ｈｚ〜２０ｋＨｚであるが、動物には、人間には感じられない高周波を感じ取ることができ、人間には影響のでない範囲の高周波による不快な刺激をもぐらに与えることができる。
【産業上の利用可能性】
【００１４】
本考案のもぐら撃退器は、農作物等に被害をおよぼす地中に生息する動物を、人間に悪影響を及ぼすことなく撃退できる撃退器として利用できる。
【図面の簡単な説明】
【００１５】
【図１】本考案の一実施の形態に係るもぐら撃退器の説明図である。
【図２】同もぐら撃退器の設置状態を示す説明図である。
【符号の説明】
【００１６】
１０：もぐら撃退器、１１：太陽電池、１２：ガラス板、１３：ソーラーボックス、１４：バッテリー、１５：回路部、１６：収納ボックス、１７：支柱、１８：第１のケーブル、１９：第１の電極銅棒、２０：第２のケーブル、２１：第２の電極銅棒
【図１】
0003104397.tif 000003
【図２】
0003104397.tif 000004